(57)【要約】【課題】鉄筋篭など鉄筋組立体を無溶接で組立てる交差接合金具の交差接合する緩みの改善を図ること。【解決手段】鉄筋組立体の縦主筋９と補強枠１０またはフープ筋１１などの横筋を交差接合してネジ止めする交差接合金具１のネジ嵌合おいて、そのネジ部１ｂと緩止めを付加した緩止めナット３とのはめあいを、該緩止めナット３の螺合から１乃至２回転、素手で回せる程度の硬いはめあいとし、また交差接合金具１のネジ部４ｂを標準ネジ外径の寸法より若干大径または緩止めナット３の標準ネジ内径を若干小径とする該はめあいをそれぞれ相対的に形成した鉄筋組立体用の交差接合金具。【選択図】図１
2013227835.tif 000002
【特許請求の範囲】
【請求項１】
柱状に配置した複数の縦主筋と環状または角状のフープ筋を各格子状に組み合わせて、交差接合金具及び結束線などで円柱状または角柱状等に建込み近くで横組みする鉄筋篭などの鉄筋組立体であって、該鉄筋組立体の縦主筋と補強枠またはフープ筋などの横筋を交差接合させてネジ止めする該交差接合金具のネジ嵌合に於いて、該交差接合金具のネジ部と緩止めを付加したナットとのはめあいを、該緩止めナットの螺合から１乃至２回転、素手で回せる程度の硬いはめあいとしたことを特徴とする鉄筋組立体用の交差接合金具。
【請求項２】
緩止めナットの螺合から１乃至２回転、素手で回せる程度の硬いはめあいとなるように、交差接合金具のネジ部を標準ネジ外径の寸法より若干大径または緩止めナットの標準ネジ内径を若干小径とする該はめあいをそれぞれ相対的に形成した請求項１に記載の鉄筋組立体用の交差接合金具。
【発明の詳細な説明】
【技術分野】
【０００１】  本発明は、鉄筋篭など鉄筋組立体の縦主筋とフープ筋または補強枠など横筋を交差接合させる交差接合金具に関する。
【背景技術】
【０００２】  従来、場所打ちコンクリート杭などの鉄筋篭の組立は、柱状に配置した複数の縦主筋と環状または角状のフープ筋を格子状に組み合わせて、交差接合金具、結束線及び溶接などで円柱状または角柱状の鉄筋篭の組立体を、その建込み近くで組立治具などを使用して横組みすることが一般的に行われている。【０００３】  そして、耐震基礎などに使用する鉄筋篭の主筋は、通常、太い主筋を横長の状態で、円柱状または角柱状に横組みされ、その組み上がった鉄筋篭をクレーンにより吊り上げると共に縦に起立状態に吊り起こし、起立状態で場所打ちコンクリート杭に挿入するが、その釣支、吊り起こすとき、該太い主筋の高重量により鉄筋篭が撓み、捻れなどの変形が生じ、その変形と鉄筋篭を設置したときの座掘変形などの防止用に補強枠を使用している。【０００４】  また、その鉄筋篭を円柱状に組立するとき、主筋を内側にフープ筋をその外側で各格子状に組合せると共に補強枠は、適宜主筋の内側と外側に変更して組合せ、その各格子状の交差部を直交クランプ、Ｕボルトなどの交差接合金具及び結束線で結束して組立、その鉄筋篭は地面近くで横組されるので、地面近くの該交差部の結束または交差接合金具のネジ締め作業は、該円柱状の鉄筋篭の中から行う必要があり、よって交差接合金具を使用するとき、内側締め付け用の交差接合金具を使用している。【０００５】  そして、市販される直交クランプなどの交差接合金具は、Ｕボルト形状またはコの字形状でその両先部側にネジ部を形成したもので、その略Ｕ字形状または略コの字形状の掛止部と該ネジ部の双方の略中間点からそれぞれ起立状に湾曲または屈曲させて側面略Ｕ字形状または側面略コの字形状の交差掛止部を形成し、該交差接合金具と取付け座金とナットで縦主筋と補強枠またはフープ筋が直交する該交差部を交差接合させるものである。【０００６】  その使用法は、一般的な例として横筋を外側、縦主筋を内側で交差させた例の場合、まず、交差する横筋より上部内側の縦主筋に、交差接合金具の略Ｕ字形状の掛止部を嵌合掛止させると共に該横筋の外側に側面略Ｕ字形状部の交差掛止部を嵌合掛止させ、次に該横筋より下部側の該縦主筋の間に交差接合金具の両先部側にネジ部を配置させると共に取付け座金の各穴部に該両ネジ部を挿通すると共にナットを螺合して該縦主筋を押圧固定することで、該掛止部及び交差掛止部と該取付け座金で縦主筋と横筋を交差接合させ、各メーカ推奨のナットの締付け力などの使用法に従い、取り付け使用されている。【０００７】  なお、交差接合金具の一般規格サイズにおいて、交差接合金具のネジ部の形成は、多くは転造によりネジが形成される転造ネジが採用され、そして本願実施例で例示する一例のＭ８サイズの場合、ネジの下径は、直径７ミリサイズの丸棒が使用され、これは精密嵌合の必要性が低く、一般的に建築、土木等、ナット嵌合の作業性を優先する場合のネジに多く採用され、それは予め手で容易にナットを螺合でき、またそのネジのはめあいの嵌合も非常に緩く、ネジ締めの作業など容易性から最も多用されており、切削ネジに比較してコスト的にも安く使用できる。【０００８】  また、上述した緩いネジ嵌合は、該交差接合金具のネジ部とナットのネジ部との嵌���を相対的に形成して緩いネジ嵌合とし形成されており、作業性を優先する建築、土木等ほかに多く使用されている。【０００９】  また、上述、緩いネジ嵌合の欠点としては、締め付け固定部分に捻れなど歪みが生じたとき、そのネジに緩みが生じやすく緩み止め対策が必要となり、特に交差接合金具のように横筋と縦主筋を交差接合させて押圧支持する取付け座金は、その中央部で縦主筋を押圧支持すると共に左右の穴部に挿通する各ネジ部をナットで螺合して締め付け固定し、そのときの取付け座金と各ナットの締め付け固定状態が、ナットで締め付け固定した取付け座金の裏側は支持されない状態であり、それは押圧支持する縦主筋を中心とするシーソ状態で締め付け固定され、その状態で交差接合するその交差部に大きな歪み等負荷が加わると取付け座金が歪み、その歪みにより、上述したようにネジ嵌合が緩いと、ナットの緩みが生じやすくなる現実がある。【００１０】  しかして、先行技術として開示される特許文献の「鉄筋用結束具」は、鉄筋篭の主筋とフープ筋が互いに直交して交差する両鉄筋を結束するとき、一方の主筋に、他方のフープ筋を互いに直交して交差させ、その両鉄筋を係止する湾曲部および固定部材で係止させて両鉄筋を結束するとした実施例を示すものである。（例えば、特許文献１参照）【００１１】  また、他の先行技術として開示される特許文献の「鉄筋結束金具及び鉄筋結束金具の締め付け方法」は、本願及び上記特許文献１と略同様の形状を示す、交差する鉄筋を交差接合させる金具であって、そのナットで締め付けする鉄筋結束金具の締め込み方法の実施例を示すものである。（例えば、特許文献２参照）
【先行技術文献】
【特許文献】
【００１２】
【特許文献１】特開２００３−１８４２２３号公報
【特許文献２】特開２０１１−１３２７１７号公報
【発明の概要】
【発明が解決しようとする課題】
【００１３】  従来の鉄筋篭の組立は、一例として縦主筋を内側に補強枠及びフープ筋をその外側で各格子状に組み合せ、その直交する交差部で接合する交差クランプなど交差接合金具で接合及び結束線で結束し、またその交差部を溶接手段も使用して組立てられ、しかし、近年、交差接合金具及び結束線のみを使用して無溶接で組立てることが要望されている。【００１４】  しかし、鉄筋篭における補強枠の交差接合では、無溶接の交差接合金具が使用されているものの、フープ筋の交差接合では適宜、結束線による結束及び交差接合金具と溶接を併用して各組合せて対応し、完全無溶接には至っていなかった。【００１５】  そこで、その完全無溶接の必要性に於ける大きな理由として、鉄筋組立体は移送上の問題から現場組立が基本で、その現場での溶接は、溶接時の湿度、温度など溶接環境及び溶接技術の習熟度により溶接品質が左右されるなど多くの不安定要素があり、またそのような不安定要素から溶接不良となり、その不良から溶接が外れ、鉄筋篭が崩壊する事故が懸念される現状から交差接合金具などの使用による現場内完全無溶接の組立が要望されていた。
なお、現場内完全無溶接とは、鉄筋篭が組立てられる施工現場で行われる溶接のことを言い、管理された工場等の施設で、フープ筋等を環状に形成するなどの溶接は含まれない。【００１６】  しかし、今もなおその溶接を併用している対応は、交差接合金具の使用数が多いこととその費用、そして取付け作業上の手間と煩雑性にあり、そのコスト上の軽減を目的として部分的に溶接を取れ入れているのが現状で、そこでその改善策として本願、出願人が、鉄筋篭の組立を交差接合金具の使用により現場内完全無溶接で行ったが、その鉄筋篭を吊り起こす時に、鉄筋篭の撓み、捻れによる変形で、各交差接合金具の係止部が擦れて元に戻らず、また過度に擦れが生じると交差接合金具が断裂して崩壊に至ることがあった。【００１７】  そしてその崩壊については、従来、無溶接で行われていないことから知られることはなく、つまり溶接を併用する組立てにより、その溶接が、鉄筋篭の撓み、捻れによる過度の変形を防ぎ、交差接合金具に直接、該変形が加わらないことから、該交差接合金具に擦れが生じず、よって該交差接合金具が断裂して崩壊に至ることがなく、結果的にはその無溶接で組立てしなかったことが、鉄筋篭を吊り起こすときの崩壊に至らず、そのことから、溶接構造では吊り起こすときの変形による崩壊を知ることがなかった。【００１８】  なお、その鉄筋篭を吊り起こすときの撓み、捻れによる変形は、鉄筋篭をクレーンにより吊り上げると共に起立状態に吊り起こし、特にその起立状態に吊り起こすときに重量が大きく加わり、該鉄筋篭が耐震基礎用の場合、通常より縦主筋が太く、高重量であることから、撓みによる変形の度合いも大きく、そのことで各交差接合金具の擦れに繋がっていた。【００１９】  そして、その擦れを考察すると、多くは横筋と縦主筋を交差接合させて支持する該交差接合金具の取付け座金を締め付け固定するナットの緩みによることが確認でき、その対応として一般市販品の緩止めナットの使用を試みるが、その緩止めナットを使用しても交差接合金具の取付けの緩みは止まらず、よってさらにその交差接合金具と共に緩止めナットの緩みを止めることが課題として明確になった。【００２０】  そこで、本出願人は、上述の捻れなどの変形による交差接合金具の取付けと緩止めナットの緩みの原因と傾向について考察した結果、該緩止めナットとの螺合状態のときの、ネジのはめあいを硬くし、つまり緩止めナットが素手で嵌合から１乃至２回程度しか回らない比較的硬いはめあい状態で、交差接合金具の取付け座金に緩止めナットを締め付け固定することで、上述の捻れなどの変形があっても交差接合金具の取付けと緩止めナットの緩みを改善することを見いだした。【００２１】  そのことから、鉄筋篭を吊り起こすときの捻れなどの歪みで、取付固定された交差接合金具の擦れが大きく生じるのは、その交差接合金具の取付け座金に緩止めナットで締め付け固定するその緩止めナットの緩みがそもそもの原因で、その緩止めナットの緩みを止める課題を本願、出願人が新たに見いだし解決した。【００２２】  また、上述した先行技術として開示される特許文献１及び特許文献２の「鉄筋用結束具」及び「鉄筋結束金具及び鉄筋結束金具の締め付け方法」も、上述したそ���従来の先行技術に使用される交差接合金具の取付け座金を、ナットで締め付け固定する上で略同様のナットの緩みに対する課題があり、またその現状は一部溶接構造として鉄筋篭を大きく変形させないこと、またそのことは無溶接で吊り起こすときの変形による崩壊を知ることもなく、一部溶接構造で組立は行われているが、上述した如く、無溶接の要望が多くあった。【００２３】  そして、上述した如く無溶接の要望は、その溶接箇所に不良があった場合、鉄筋篭を吊り起こすときの撓み、捻れなどの変形により、その溶接箇所が外れて連鎖的に交差接合金具に断裂が生じ、一気に鉄筋篭が崩壊する危険があることから未だ要望されている。【００２４】  なお、ここで本願を詳述するにあたり、内容の理解を容易にするため、以下の通り記載することとし、まず、交差状に配置する縦主筋を内側（手前側）と、補強枠またはフープ筋を外側（奥側）に配置し、その状態で交差接合金具により交差接合させる配置の定義において、補強枠またはフープ筋側に対して、縦主筋側で螺着締め付けするものを「内締め」とし、また縦主筋側に対して、補強枠またはフープ筋側で螺着締め付けするものを「外締め」とし、それぞれその「内締め」、「内締め」に使用する金具を「内締め交差接合金具」と「外締め交差接合金具」とする。【００２５】  また、本願発明の実施例とする交差接合金具のネジ部に関し、転造ネジによる一般規格サイズにおいて、本願実施例で例示する一例のネジサイズがＭ８の場合、ネジの下径（螺刻されない棒状部）は、直径７ｍｍサイズでネジ外径は７．８ｍｍを基準とし、一般的に使用されネジのはめあいも比較的緩く素手で緩く回せる程度のものを「緩いネジ」とし、また、本願、実施例で示す、本発明のネジの下径（螺刻されない棒状部）は、直径７．１ｍｍサイズでネジ外径は７．９ｍｍを基準とし、素手で嵌合から１乃至２回程度しか回らない比較的硬いはめあいのものを「硬いネジ」と記載する。【００２６】  さらに、交差接合金具の一対のネジ部の締付け量及びその締付けによる取付け座金の変形量に関して、縦主筋を跨ぐように取付け座金を設けてナットにより螺着締付けすることで取付け座金が湾曲変形し、その取付け座金が１８０度のフラットな状態から締付けによる湾曲変形の大きさが左右に各６度程度の湾曲する量を「最小値」とし、また左右に各９度程度の湾曲値を「最大値」とし、その「最小値」は、主筋を締付け固定できる最小の値で、またその「最大値」は、主筋の押圧保持力が最大となる値であって、その６度乃至９度の値はその上下値で主筋の表面状態により多少のバラツキが存在し、またその見た目上の目安となる状態は、取付け座金より突出した一対のネジ部が平行状態から若干の略逆ハの字状に開くように変形した状態で、数値に示せない締め付けの目安となる。【００２７】  つまり、上記該一対のネジ部の若干の略逆ハの字状の変形が、主筋の押圧保持力が最大となり、また上記湾曲する最大角度を超える締付けで、さらに略逆ハの字状の開きの変形が大きくなると、ネジ部が断裂に至る過剰な締付けとなり、最大保持力と変形による断裂に至る手前のバランスできる範囲であり、ことから交差接合金具のネジ部の締付けの適正値を表すのに、該取付け座金の湾曲する角度の値と、「略逆ハの字状の変形」を適正な締付け力とし、また該ネジ部の断裂に至る変形を「略逆ハの字状を超える変形」とする。
【課題を解決するための手段】
【００２８】  本発明は、上記課題を有効に達成するために、第１の解決手段として、鉄筋組立体の縦主筋とフープ筋または補強枠などの横筋を交差接合させると共にネジ止めする交差接合金具の該ネジ嵌合に於いて、該交差接合金具のネジ部と緩止めナットとのはめあいを、該緩止めナットの螺合から１乃至２回転、素手で回せる程度の硬いはめあいとしたことにより、
鉄筋篭などの鉄筋組立体を吊り起こししたとき、縦主筋と、フープ筋または補強枠などの横筋を交差接合させる交差接合金具のネジ部と緩止めナットの螺合が緩んで、交差接合する交差接合金具が擦れないように作用するとしている。【００２９】  また、第２の解決手段として、交差接合金具のネジ部を標準ネジ外径の寸法より若干大径または緩止めナットの標準ネジ内径を若干小径とする該はめあいをそれぞれ相対的に形成したことにより、
鉄筋篭などの鉄筋組立体を吊り起こししたとき、交差接合金具のネジ部と緩止めナットのネジ部との螺合が緩まないように作用するとしている。
【発明の効果】
【００３０】  本発明は、上述したそれぞれの手段によって有効な効果が得られるようにしたもので、特に、第１の解決手段の、柱状に配置した複数の縦主筋と環状または角状のフープ筋を各格子状に組み合わせて、交差接合金具及び結束線などで円柱状または角柱状等に建込み近くで横組みする鉄筋篭などの鉄筋組立体であって、該鉄筋組立体の縦主筋と補強枠またはフープ筋などの横筋を交差接合させてネジ止めする交差接合金具の該ネジ嵌合に於いて、該交差接合金具のネジ部と緩止めを付加したナットとのはめあいを、該緩止めナットの螺合から１乃至２回転、素手で回せる程度の硬いはめあいとしたことにより、
無溶接で組み立てる鉄筋篭などの鉄筋組立体を吊り起すときの変形の影響を交差接合金具が受けても、該交差接合金具の緩止めナットが緩まず、その交差接合する交差接合金具に擦れが生じないことから断裂に至らず、よって鉄筋篭などの鉄筋組立体の変形から崩壊に至ることなく安全な施工ができる。【００３１】  また、上述鉄筋篭などの鉄筋組立体を交差接合金具で組み立てても崩壊に至らないことから、鉄筋組立体の無溶接の要望に応えられ、簡易な構成で交差接合金具の緩止め対策ができるので、その緩み止めのコストとしては特異な構成を付加することなく安価な対策となる。【００３２】  さらに、上述従来、無溶接で行われてないことから崩壊することが知られることがなく、そして結果的には、無溶接の組立てで鉄筋篭の吊り起こし時に変形により崩壊することも確認でき、よって本願発明により、無溶接で行うと崩壊する可能性の確認と、その解決法の完成も見た。【００３３】  しかして、第２の解決手段の、緩止めナットの螺合から素手では１乃至２回転して止まる程度の硬いはめあいとなるように、交差接合金具のネジ部を標準ネジ外径の寸法より若干大径または緩止めナットの標準ネジ内径を若干小径とする該はめあいをそれぞれ相対的に形成したことにより、
無溶接で組み立てる鉄筋篭などの鉄筋組立体を吊り起すときの変形の影響を交差接合金具が受けても、該交差接合金具の緩止めナットが緩まず、その交差接合する交差接合金具に擦れが生じないことから断裂に至らず、よって鉄筋篭などの鉄筋組立体の変形から崩壊に至ることなく安全に施工でき、また簡易な構成で交差接合金具の緩止め対策ができるので、緩み止めのコストとしては特異な構成を付加することなく安価な対策となる。
よって、これらのことから本発明は、実用上著大な効果を奏する。
【図面の簡単な説明】
【００３４】
【図１】  本発明の内締め交差接合金具１の分解斜視図である。
【図２】  本発明の交差接合金具１ａのネジ部４ａ，４ｂの各実施例を示す要部の斜視図である。
【図３】  本発明の内締め交差接合金具１ａを使用した縦主筋９と補強枠１０及びフープ筋１１の交差接合状態を示す要部の斜視図である。
【図４】  本発明の図３の矢視Ａ−Ａ線断面図である。
【図５】  本発明の取付け座金２の湾曲状態を示す要部の平面図である。
【図６】  本発明の他の実施例の内締め交差接合金具１ａａの分解斜視図である。
【図７】  本発明のその他の実施例の外締め交差接合金具１ｂの分解斜視図である。
【図８】  本発明の外締め交差接合金具１ｂを使用した縦主筋９と補強枠１０及びフープ筋１１の交差接合状態を示す要部の斜視図である。
【図９】  鉄筋組立体の鉄筋篭１３の平面図である。
【図１０】  本発明の補強枠１０と内締め交差接合金具１ａの外力が加わる状態を示す要部の正面図である。
【図１１】  本発明の補強枠１０と内締め交差接合金具１ａに外力が加わった状態を示す要部の側面図である。
【図１２】  本発明の縦主筋９と補強枠１０の交差接合状態で該内締め交差接合金具１ａに外力が加わった状態の試験値で、外力に対する交差接合金具の変位量及び破断値を表すグラフ図である。
【発明を実施するための形態】
【００３５】  本発明の第一の実施例は、鉄筋組立体の縦主筋とフープ筋または補強枠などの横筋を交差接合させる交差接合金具のネジ止めするネジ嵌合に於いて、該交差接合金具のネジ部と、緩止めナットとのはめあいを、該緩止めナットの螺合から１乃至２回転、素手で回せる程度の硬いはめあいとした交差接合金具により、
無溶接で組み立てる鉄筋篭などの鉄筋組立体を吊り起すときの変形の影響を交差接合金具が受けても、該交差接合金具の緩止めナットが緩まず、その交差接合する交差接合金具に擦れが生じないことから断裂に至らず、よって鉄筋篭などの鉄筋組立体の変形から崩壊に至ることがない鉄筋篭など鉄筋組立体の提供を実現させた。
【００３６】  また、第二の実施例は、交差接合金具のネジ部を標準ネジ外径の寸法より若干大径または緩止めナットの標準ネジ内径を若干小径として各相対的にはめあいを形成したにより、
無溶接で組み立てる鉄筋篭などの鉄筋組立体を吊り起すときの変形の影響を交差接合金具が受けても、該交差接合金具の緩止めナットが緩まず、その交差接合する交差接合金具に擦れが生じないことから断裂に至らず、よって鉄筋篭などの鉄筋組立体の変形から崩壊に至ることがなく、また簡易な構成の緩止めの交差接合金具の提供を実現させた。
【００３７】  そして、上述する課題の無溶接で組立てる鉄筋組立体は、その吊り起こす時の鉄筋組立体の撓み、捻れの大きさに比例して、各交差接合金具が交差接合する主筋の掛止部で擦れの量が変化し、その捻れと擦れは相対して発生するので、その擦れを少なく押さえることで捻れも小さく、またその反対に擦れが大きくなることで、交差接合金具の締付けネジ部に過度の力が加わり断裂して鉄筋組立体の崩壊となり、そこでその交差接合金具の擦れを最小限に止どめ鉄筋組立体を大きく変形させない交差接合金具の提供を実現させた。
【実施例】
【００３８】  本発明の実施例を図面に基づいて説明すると、図１に於いて、１は交差接合金具で、該交差接合金具１は、内締め交差接合金具本体１ａと平板状の取付け座金２と緩止めナット３，３で構成している。
なお、緩止めナット３，３は、市販されるもので、本実施例で示す物はカシメ部３ａを付加したネジの緩み止めで、その他市販の緩み止めナットが使用可能である。【００３９】  そこで、該交差接合金具１の内締め交差接合金具本体１ａの形状は、市販のＵボルト状からその両先部側のネジ部と基端側の略Ｕ字形状部の双方からそれぞれを起立状に屈曲させて、それぞれ両先部側のネジ部４，４と略Ｕ字形状の掛止部５と起立屈曲して形成される側面略コの字形状の交差掛止部６，６を設けている。【００４０】  なお、上記掛止部５の略Ｕ字形状は、後述する縦主筋９の外径に対応し、交差掛止部６，６の側面略コの字形状は、補強枠１０の幅に対応して形成され、また、該取付け座金２は、平板状で上記内締め交差接合金具本体１ａのネジ部４，４に対応した挿通穴部７，７を開設している。【００４１】  そして、図２に示す（Ａ）（Ｂ）は、内締め交差接合金具本体１ａの該ネジ部４の一例として、ネジ部４ａとネジ部４ｂの各サイズの実施例を示したもので、図２の（Ａ）のネジ部４ａは、一般規格サイズの市販されるＭ８を一例として、その多くは、下径ｂが７．０ミリの棒状体８ａから転造でネジ形成をしてネジ外径ａが７．８ｍｍｍｍの標準ネジの転造ネジで、一般市販品のものであり、本願従来例のネジ部４ａとして例示している。【００４２】  また、本願、発明の図２の（Ｂ）のネジ部４ｂは、下径ｂ’が７．１ミリの棒状体８ｂから転造でネジ形成をしてネジ外径ａ’が７．９ｍｍｍｍのネジ部４ｂとして一般規格サイズより若干大径の転造ネジとして形成したものを示している。なお、以後のネジ部４を説明するとき、断りがない限り、若干大径の転造ネジのネジ部４ｂを記載する。【００４３】  しかして、交差接合金具１を使用しての組立に於いて、図３に示すように、縦主筋９を内側（手前側）と補強枠１０を外側（奥側）に、交差するように配置し、そして内締め交差接合金具本体１ａの略Ｕ字形状の掛止部５を縦主筋９の上部内側（手前側）から嵌合掛止させると共に補強枠１０の外側に側面略コの字形状の交差掛止部６，６を嵌合掛止させ、次に、核補強枠１０より下部側の該縦主筋９の間に内締め交差接合金具本体１ａのネジ部４ｂ，４ｂを配置すると共に取付け座金２の挿通穴部７，７に挿通し、該ネジ部４ｂ，４ｂに緩止めナット３，３を手で螺合する。【００４４】  その螺合するとき、螺合から１乃至２回転、素手で回せる程度の硬いはめあいであり、その素手で１乃至２回転させた後、レンチ等で適正値まで締め付けて該縦主筋９を取付け座金２で押圧固定することで、該掛止部５と交差掛止部６，６と該取付け座金２で、縦主筋９と補強枠１０を交差接合させる。【００４５】  そして、上記緩止めナット３，３を螺合固定するとき、図４及び図５に示すように、緩止めナット３，３を螺合したとき、一対のネジ部４ｂ，４ｂが平行状態から若干の略逆ハの字状に開くように変形すると共にその取付け座金２が１８０度のフラットな状態から縦主筋９を中心に、図５に示す左右に各αが約６度程度、湾曲させ、最大値で約９度程度の湾曲で縦主筋９の押圧保持力が最大となるように螺合する。【００４６】  なお、図３に示す補強枠１０に所定間隔を持って平行して設けられるフープ筋１１は、結束線１２を用いて交差接合して結束保持され、また該平板状の補強枠１０と丸棒状のフープ筋１１は、その両端部を溶着して予め環状に形成して製作されているものである。【００４７】  また、図６は、フープ筋１１を交差接合金具１で交差接合する実施例のもので、上述した内締め交差接合金具本体１ａと略同様の構成と使用法で、相違に於いて、上述の補強枠１０に合わせて側面略コの字形状の交差掛止部６，６としているのを、丸棒状のフープ筋１１に合わせて交差掛止部６ａ，６ａを側面略Ｕ字形状に形成した内締め交差接合金具本体１ａａとしている。【００４８】  さらに、図７、図８の実施例は、上述した交差接合金具１の内締め交差接合金具本体１ａに対して、それと略同様構成の交差接合金具１の外締め交差接合金具本体１ｂで、相違に於いて、内締め交差接合金具本体１ａの掛止部５に対応する部分を、補強枠１０の幅に対応した略コの字形状の掛止部５ａとし、また交差掛止部６，６に対応する部分を、縦主筋９に対応した側面略Ｕ字形状の交差掛止部６ｂ，６ｂとして形成し、図８に示す使用法は、縦主筋９を内側（手前側）と補強枠１０を外側（奥側）に、交差するように配置し、そして外締め交差接合金具本体１ｂの略コの字形状の掛止部５ａを、縦主筋９を中心として補強枠１０の左の外側（奥側）から嵌合掛止させると共に該縦主筋９の内側に側面略Ｕ字形状の交差掛止部６ｂ，６ｂを嵌合掛止させ、次に、該補強枠１０の右側より補強枠１０の間にネジ部４ｂ，４ｂを配置させ、該補強枠１０を押さえ支持する取付け座金２の各挿通穴部７，７に該両ネジ部４ｂ，４ｂを挿通すると共に緩止めナット３，３を螺合して該補強枠１０を押圧固定することで、該掛止部５ａと交差掛止部６ｂ，６ｂと該取付け座金２で、縦主筋９と補強枠１０を交差接合させ、該緩止めナット３，３の螺合は、上述した内締め交差接合金具本体１ａと同様に螺合固定する。【００４９】  しかして、上述したように交差接合金具１の内締め交差接合金具本体１ａ、外締め交差接合金具本体１ｂ及び結束線１２を用いて、縦主筋９と補強枠１０及びフープ筋１１を交差接合して交差保持することで、図９に示すように鉄筋組立体の鉄筋篭１３が構築される。【００５０】  その交差保持する課程は、柱状に各配設された縦主筋９，９，…に、それぞれ環状の補強枠１０，１０，…とフープ筋１１，１１，…を所定間隔で外嵌して格子状に交差させると共に柱状に組み合わせ、そして該柱状の鉄筋篭１３の内部に入ってその内側から格子状の交差部に内締め交差接合金具本体１ａ，１ａ，…を使用して締め付け作業をする場合と、外締め交差接合金具本体１ｂ，１ｂ，…を使用して外側から交差接合させて、組立作業をすることで横組みされる。【００５１】  なお、外締め交差接合金具本体１ｂ，１ｂ，…は、鉄筋篭１３の外側からの締め付け作業が容易なときおいて使用され、そして該鉄筋篭１３の縦主筋９と補強枠１０及びフープ筋１１の交差接合する作業が、内側、外側の別に選ばれるのは、それぞれ作業方向の容易さと、その作業別によりそれぞれ適宜、内締め交差接合金具本体１ａまたは外締め交差接合金具本体１ｂが選ばれる。【００５２】  そして、構築する杭の規模によりその縦主筋９にあっては、鉄筋径が適宜選ばれ、通常、フープ筋１１より大径の鉄筋が使用され、また該フープ筋１１は、その使用する鉄筋の両端部を溶着して環状に形成したもので、該フープ筋１１を縦主筋９に対し所定間隔で格子状に外嵌配設して、主に結束線１２を用いて結束保持される。【００５３】  しかして、横組みで構築された鉄筋篭１３をクレーンで吊上げると共に起立状態に吊り起すときに該釣支力が鉄筋篭１３に及ぼす影響について、該鉄筋篭１３の縦主筋９と補強枠１０を交差接合した内締め交差接合金具本体１ａに及ぼす釣支力は、図１０及び図１１に示すように、補強枠１０に加わる該釣支力のＡ（上向きの力）と、その反する縦主筋２の自重のＢ（下向きの力）が加わると共に鉄筋篭１３を吊り起こす側の先端側と、反対側との撓みによる変形が交差接合した内締め交差接合金具本体１ａに加わる。【００５４】  そして、該釣支力を示すＡ、Ｂと、撓みによる変形が内締め交差接合金具本体１ａ加わり、その外力と変形力が、取付け座金２を弾発変形させ、そのことでナットを緩ませ、その緩み止め対策として緩止めナット３，３を用いるも変形力の大きさから該緩みが完全に止まらず、それは交差接合するとき、内締め交差接合金具本体１ａのように縦主筋９と補強枠１０などを交差接合させて押圧支持する取付け座金２の状態は、その縦主筋９の中央部で押圧支持すると共に左右の挿通穴部７，７に両ネジ部４ｂ，４ｂを挿通してナットで螺合締め付け固定し、そのときの取付け座金２と各ナットの締め付け固定状態が、ナットで締め付け固定した取付け座金２の裏側は支持されない状態であり、それは押圧支持する縦主筋９を中心に取付け座金２がシーソ状態で締め付け固定され、その状態で交差接合するその交差部に大きな歪み等負荷が加わると取付け座金２が、複雑に弾発変形して歪み、その複雑に弾発変形することにより、上述した市販のネジ嵌合の「緩いネジ」のナットでは、ネジの緩みが生じやすくなる現実がある。【００５５】  そこで本出願人は、上述緩止めナット３，３の緩みの原因と傾向について考察した結果、螺合状態のときのネジ部４ａ，４ａの緩いはめあいを「硬いネジ」とし、緩止めナット３，３が素手で螺合から１乃至２回転、素手で回せる程度の硬いはめあい状態のネジ部４ｂ，４ｂとし、該硬いはめあい状態のネジ部４ｂ，４ｂに緩止めナット３，３を螺合して締め付け固定することで、交差接合金具１の取付けと緩止めナット３，３の緩みが改善することを見いだした。【００５６】  そこで、内締め交差接合金具本体１ａまたは外締め交差接合金具本体１ｂの断裂に至るその外力と変形力による値を公的機関の地方独立行政法人  東京都立産業技術研究センターにて、上述した図１０に示す状態で、引っ張り計測することとした。【００５７】  つまり、引張力試験の条件としては、上述したように適正値の締め付けにより緩止めナット３，３で固定し、また詳細には図１２（イ）の条件として、緩いはめあい状態のネジ部４ａのものと、（ロ）の条件として、硬いはめあい状態のネジ部４ｂのものを、図１０に示す状態で、それぞれ▲１▼〜▲３▼の同条件で３つのサンプルにて、図１１に示すように外力として、矢視Ａ方向と矢視Ｂ方向に力を加えて、引張力最大値（ｋＮ）と引張力最大値の変位量（ｍｍ）を計測し、図１２のグラフで示すように（イ）、（ロ）の各条件にて▲１▼〜▲３▼の結果を得た。【００５８】  その結果の詳細な数値として、以下に示す表１及び表２から、図１１に示すＡ及びＢ方向の外力により内締め交差接合金具本体１ａの断裂に至る値に差が示され、緩いはめあい状態のネジ部４ａ，４ａでは、図１２（イ）のグラフで示され、硬いはめあい状態のネジ部４ｂ，４ｂでは、図１２（ロ）のグラフで示されており、ここから断裂に至る値が見て取れる。【００５９】
【表１】
2013227835.tif 000003
【００６０】
【表２】
2013227835.tif 000004
【００６１】  つまり、その表１及び表２から、緩いはめあい状態のネジ部４ａ，４ａの場合、最大で約６６．８ｋＮと最小で約５３．１ｋＮであり、硬いはめあい状態のネジ部４ｂ，４ｂの場合、最大で約８１．４ｋＮと最小で約６８．９ｋＮが示され、ここから断裂に至る値により、硬いはめあい状態のネジ部４ｂ，４ｂのものが、緩止めナット３の緩みから交差接合金具１の擦れ、そして該交差接合金具１の断裂に至る剛性が高いと見て取れる。【００６２】  以上のことから、図９に示す鉄筋篭１３をクレーンで吊上げると共に縦に起立状態に吊り起すとき、釣支力のＡ（上向きの力）と、自重のＢ（下向きの力）が実験値で示すように、緩いはめあい状態のネジ部４ａと硬いはめあい状態のネジ部４ｂでは、その保持力の差となって現れ、その保持力の差が鉄筋篭１３の撓みなどの変形の差と成って現れ、その差が交差接合金具１の内締め交差接合金具本体１ａの断裂に至る剛性に差が生じる。【００６３】  よって、交差接合金具１の内締め交差接合金具本体１ａまたは外締め交差接合金具本体１ｂのネジ部を、硬いはめあい状態のネジ部４ｂ，４ｂとすることで、鉄筋篭１３の撓みなどの変形を抑止し、それにより断裂に至ることなく支持することを見いだした。【００６４】  なお、上述各実施例の、交差接合金具１の上述する硬いネジ嵌合は、該内締め交差接合金具本体１ａまたは外締め交差接合金具本体１ｂの硬いはめあい状態のネジ部４ｂと緩止めナット３のネジ部を相対的に硬いネジ嵌合として形成しても良いが、図示は省略した。【００６５】  また、鉄筋篭１３が筒状としているが、平面壁状に形成しても交差接合金具１の内締め交差接合金具本体１ａまたは外締め交差接合金具本体１ｂの取付状態が同様の構成で組立てられるが、図示は省略した。
【産業上の利用可能性】
【００６６】  本発明は、耐震基礎などに使用される鉄筋篭など鉄筋組立体に使用される縦主筋と補強枠及びフープ筋と交差接合させて組立てる交差接合金具として使用できる。
【符号の説明】
【００６７】１  交差接合金具
１ａ，１ａａ  内締め交差接合金具本体
１ｂ  外締め交差接合金具本体
２  取付け座金
３  緩止めナット
４  ネジ部
４ａ  緩いはめあい状態のネジ部
４ｂ  硬いはめあい状態のネジ部
５，５ａ  掛止部
６，６ａ，６ｂ  交差掛止部
９  縦主筋
１０  補強枠
１１  フープ筋
１２  結束線
１３  鉄筋篭。
【図１】
2013227835.tif 000005
【図２】
2013227835.tif 000006
【図３】
2013227835.tif 000007
【図４】
2013227835.tif 000008
【図５】
2013227835.tif 000009
【図６】
2013227835.tif 000010
【図７】
2013227835.tif 000011
【図８】
2013227835.tif 000012
【図９】
2013227835.tif 000013
【図１０】
2013227835.tif 000014
【図１１】
2013227835.tif 000015
【図１２】
2013227835.tif 000016
【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
柱状に配置した複数の縦主筋と環状または角状のフープ筋を各格子状に組み合わせて、交差接合金具及び結束線などで円柱状または角柱状等に建込み近くで横組みする鉄筋篭などの鉄筋組立体であって、該鉄筋組立体の縦主筋と補強枠またはフープ筋などの横筋を交差接合させてネジ止めする該交差接合金具のネジ嵌合に於いて、該交差接合金具のネジ部と緩止めを付加した緩止めナットとの螺合はめあいを、該緩止めナットの螺合初めから１乃至２回転、素手で回せる程度の硬い螺合はめあいとしたことを特徴とする鉄筋組立体用の交差接合金具。
【請求項２】
該緩止めナットの螺合初めから１乃至２回転、素手で回せる程度の硬い螺合はめあいが、交差接合金具のネジ部を標準ネジ外径の寸法より若干大径に、または緩止めナットの標準ネジ内径を若干小径とする該螺合はめあいの大径と小径を相対して入れ替えて形成した請求項１に記載の鉄筋組立体用の交差接合金具。
【手続補正２】
【補正対象書類名】明細書
【補正対象項目名】００３０
【補正方法】変更
【補正の内容】
【００３０】  本発明は、上述したそれぞれの手段によって有効な効果が得られるようにしたもので、特に、第１の解決手段の、柱状に配置した複数の縦主筋と環状または角状のフープ筋を各格子状に組み合わせて、交差接合金具及び結束線などで円柱状または角柱状等に建込み近くで横組みする鉄筋篭などの鉄筋組立体であって、該鉄筋組立体の縦主筋と補強枠またはフープ筋などの横筋を交差接合させてネジ止めする該交差接合金具のネジ嵌合に於いて、該交差接合金具のネジ部と緩止めを付加した緩止めナットとの螺合はめあいを、該緩止めナットの螺合初めから１乃至２回転、素手で回せる程度の硬い螺合はめあいとしたことにより、
無溶接で組み立てる鉄筋篭などの鉄筋組立体を吊り起すときの変形の影響を交差接合金具が受けても、該交差接合金具の緩止めナットが緩まず、その交差接合する交差接合金具に擦れが生じないことから断裂に至らず、よって鉄筋篭などの鉄筋組立体の変形から崩壊に至ることなく安全な施工ができる。
【手続補正３】
【補正対象書類名】明細書
【補正対象項目名】００３３
【補正方法】変更
【補正の内容】
【００３３】  しかして、第２の解決手段の、該緩止めナットの螺合初めから１乃至２回転、素手で回せる程度の硬い螺合はめあいが、交差接合金具のネジ部を標準ネジ外径の寸法より若干大径に、または緩止めナットの標準ネジ内径を若干小径とする該螺合はめあいの大径と小径を相対して入れ替えて形成したことにより、
無溶接で組み立てる鉄筋篭などの鉄筋組立体を吊り起すときの変形の影響を交差接合金具が受けても、該交差接合金具の緩止めナットが緩まず、その交差接合する交差接合金具に擦れが生じないことから断裂に至らず、よって鉄筋篭などの鉄筋組立体の変形から崩壊に至ることなく安全に施工でき、また簡易な構成で交差接合金具の緩止め対策ができるので、緩み止めのコストとしては特異な構成を付加することなく安価な対策となる。
よって、これらのことから本発明は、実用上著大な効果を奏する。